(57)【要約】  実施形態に係るユーザ端末は、セルラ通信及びＷＬＡＮ通信をサポートする。前記ユーザ端末は、セルラ通信ネットワークから提供される補助情報に基づいて、前記セルラ通信ネットワーク及びＷＬＡＮ通信ネットワークのうち、自ユーザ端末のトラフィックを送受信する適切なネットワークを選択するネットワーク選択動作を行う制御部を備える。自ユーザ端末が前記セルラ通信ネットワークにおけるアタッチ状態からデタッチ状態に遷移した場合、前記制御部は、前記アタッチ状態において前記セルラ通信ネットワークから提供された前記補助情報を保持しつつ、前記ネットワーク選択動作を継続する。
2016021640.tif 000002
【特許請求の範囲】
【請求項１】
セルラ通信及びＷＬＡＮ通信をサポートするユーザ端末であって、
セルラ通信ネットワークから提供される所定の情報に基づいて、前記セルラ通信ネットワーク及びＷＬＡＮ通信ネットワークのうち、自ユーザ端末のトラフィックを送受信する適切なネットワークを選択するネットワーク選択動作を行う制御部を備え、
自ユーザ端末が前記セルラ通信ネットワークにおけるアタッチ状態からデタッチ状態に遷移した場合、前記制御部は、前記デタッチ状態に遷移してから所定時間経過後に、前記ネットワーク選択動作のための情報を取得するために前記デタッチ状態に遷移することを特徴とするユーザ端末。
【請求項２】
前記デタッチ状態において、前記制御部は、前記アタッチ状態において前記セルラ通信ネットワークから提供された前記所定の情報を保持しつつ、前記ネットワーク選択動作を継続することを特徴とする請求項１に記載のユーザ端末。
【請求項３】
前記所定の情報は、前記ＷＬＡＮ通信ネットワークが適切であるか否かの判定に使用されるＷＬＡＮ判定パラメータを含み、
前記デタッチ状態に遷移し、かつ、前記トラフィックを前記ＷＬＡＮ通信ネットワークと送受信している場合、前記制御部は、前記アタッチ状態において提供された前記ＷＬＡＮ判定パラメータを保持しつつ、当該保持しているＷＬＡＮ判定パラメータに基づいて前記ネットワーク選択動作を行うことを特徴とする請求項２に記載のユーザ端末。
【請求項４】
前記デタッチ状態において、自ユーザ端末の全てのＰＤＮ接続が前記ＷＬＡＮ通信ネットワークを介して確立されていることを特徴とする請求項１に記載のユーザ端末。
【請求項５】
前記デタッチ状態に遷移し、かつ、前記トラフィックを前記ＷＬＡＮ通信ネットワークと送受信している場合、前記制御部は、前記デタッチ状態に遷移してから前記所定時間が経過するまで、前記アタッチ状態において提供された前記ＷＬＡＮ判定パラメータを保持することを特徴とする請求項３に記載のユーザ端末。
【請求項６】
前記所定時間は、前記アタッチ状態において前記セルラ通信ネットワークから指定されていることを特徴とする請求項１に記載のユーザ端末。
【請求項７】
セルラ通信及びＷＬＡＮ通信をサポートするユーザ端末における通信制御方法であって、
セルラ通信ネットワークから提供される所定の情報に基づいて、前記セルラ通信ネットワーク及びＷＬＡＮ通信ネットワークのうち、自ユーザ端末のトラフィックを送受信する適切なネットワークを選択するネットワーク選択動作を行うステップと、
自ユーザ端末が前記セルラ通信ネットワークにおけるアタッチ状態からデタッチ状態に遷移した場合、前記デタッチ状態に遷移してから所定時間経過後に、前記ネットワーク選択動作のための情報を取得するために前記デタッチ状態に遷移するステップと、
を含むことを特徴とする通信制御方法。
【発明の詳細な説明】
【技術分野】
【０００１】
本発明は、セルラ・ＷＬＡＮ無線インターワーキング技術をサポートするユーザ端末及び通信制御方法に関する。
【背景技術】
【０００２】
セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）仕様は、リリース１２以降において、セルラ・ＷＬＡＮ（Ｗｉｒｅｌｅｓｓ  Ｌｏｃａｌ  Ａｒｅａ  Ｎｅｔｗｏｒｋ）無線インターワーキング技術をサポートする。【０００３】
このような技術では、ユーザ端末は、セルラ通信ネットワークから提供される補助情報（ＲＡＮ  ａｓｓｉｓｔａｎｃｅ  ｐａｒａｍｅｔｅｒｓ）に基づいて、セルラ通信ネットワーク及びＷＬＡＮ通信ネットワークのうち、自ユーザ端末のトラフィックを送受信する適切なネットワークを選択するネットワーク選択動作を行う。補助情報は、セルラ通信ネットワークの状況等に応じて適宜更新される。
【先行技術文献】
【非特許文献】
【０００４】
【非特許文献１】３ＧＰＰ技術仕様書「ＴＳ  ３６．３０４  V１２．１．０」
【発明の概要】
【０００５】
一つの実施形態に係るユーザ端末は、セルラ通信及びＷＬＡＮ通信をサポートする。前記ユーザ端末は、セルラ通信ネットワークから提供される所定の情報に基づいて、前記セルラ通信ネットワーク及びＷＬＡＮ通信ネットワークのうち、自ユーザ端末のトラフィックを送受信する適切なネットワークを選択するネットワーク選択動作を行う制御部を備える。自ユーザ端末が前記セルラ通信ネットワークにおけるアタッチ状態からデタッチ状態に遷移した場合、前記制御部は、前記デタッチ状態に遷移してから所定時間経過後に、前記ネットワーク選択動作のための情報を取得するために前記デタッチ状態に遷移する。
【図面の簡単な説明】
【０００６】
【図１】実施形態に係るシステム構成を示す図である。
【図２】実施形態に係るＵＥのブロック図である。
【図３】ＬＴＥ無線インターフェイスのプロトコルスタック図である。
【図４】実施形態に係るネットワーク選択動作を説明するための図である。
【図５】実施形態に係る動作環境を示す図である。
【図６】実施形態に係るＵＥの動作フロー図である。
【図７】その他の実施形態に係る動作環境を示す図である。
【発明を実施するための形態】
【０００７】
［実施形態の概要］
実施形態に係るユーザ端末は、セルラ通信及びＷＬＡＮ通信をサポートする。前記ユーザ端末は、セルラ通信ネットワークから提供される所定の情報に基づいて、前記セルラ通信ネットワーク及びＷＬＡＮ通信ネットワークのうち、自ユーザ端末のトラフィックを送受信する適切なネットワークを選択するネットワーク選択動作を行う制御部を備える。自ユーザ端末が前記セルラ通信ネットワークにおけるアタッチ状態からデタッチ状態に遷移した場合、前記制御部は、前記デタッチ状態に遷移してから所定時間経過後に、前記ネットワーク選択動作のための情報を取得するために前記デタッチ状態に遷移する。
【０００８】
前記デタッチ状態において、前記制御部は、前記アタッチ状態において前記セルラ通信ネットワークから提供された前記所定の情報を保持しつつ、前記ネットワーク選択動作を継続してもよい。
【０００９】
前記所定の情報は、前記ＷＬＡＮ通信ネットワークが適切であるか否かの判定に使用されるＷＬＡＮ判定パラメータを含んでもよい。前記デタッチ状態に遷移し、かつ、前記トラフィックを前記ＷＬＡＮ通信ネットワークと送受信している場合、前記制御部は、前記アタッチ状態において提供された前記ＷＬＡＮ判定パラメータを保持しつつ、当該保持しているＷＬＡＮ判定パラメータに基づいて前記ネットワーク選択動作を行ってもよい。
【００１０】
前記デタッチ状態において、自ユーザ端末の全てのＰＤＮ接続が前記ＷＬＡＮ通信ネットワークを介して確立されていてもよい。
【００１１】
前記デタッチ状態に遷移し、かつ、前記トラフィックを前記ＷＬＡＮ通信ネットワークと送受信している場合、前記制御部は、前記デタッチ状態に遷移してから前記所定時間が経過するまで、前記アタッチ状態において提供された前記ＷＬＡＮ判定パラメータを保持してもよい。
【００１２】
前記所定時間は、前記アタッチ状態において前記セルラ通信ネットワークから指定されていてもよい。
【００１３】
実施形態に係る通信制御方法は、セルラ通信及びＷＬＡＮ通信をサポートするユーザ端末における方法である。前記通信制御方法は、セルラ通信ネットワークから提供される所定の情報に基づいて、前記セルラ通信ネットワーク及びＷＬＡＮ通信ネットワークのうち、自ユーザ端末のトラフィックを送受信する適切なネットワークを選択するネットワーク選択動作を行うステップと、自ユーザ端末が前記セルラ通信ネットワークにおけるアタッチ状態からデタッチ状態に遷移した場合、前記デタッチ状態に遷移してから所定時間経過後に、前記ネットワーク選択動作のための情報を取得するために前記デタッチ状態に遷移するステップと、を含む。
【００１４】
［実施形態］
以下、図面を参照して、３ＧＰＰ規格に準拠して構成されるセルラ通信システムであるＬＴＥ（Ｌｏｎｇ  Ｔｅｒｍ  Ｅｖｏｌｕｔｉｏｎ）システムをＷＬＡＮシステムと連携させる場合の実施形態を説明する。
【００１５】
（システム構成）
図１は、実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００１６】
Ｅ−ＵＴＲＡＮ１０は、セルラＲＡＮ（Ｒａｄｉｏ  Ａｃｃｅｓｓ  Ｎｅｔｗｏｒｋ）に相当する。ＥＰＣ２０は、コアネットワークに相当する。Ｅ−ＵＴＲＡＮ１０及びＥＰＣ２０は、ＬＴＥ通信ネットワーク（セルラ通信ネットワーク）を構成する。
【００１７】
ＵＥ１００は、移動型の無線通信装置である。ＵＥ１００はユーザ端末に相当する。ＵＥ１００は、ＬＴＥ通信（セルラ通信）及びＷＬＡＮ通信の両通信方式をサポートする端末（デュアル端末）である。ＬＴＥ通信は、ＷＷＡＮ（Ｗｉｒｅｌｅｓｓ  Ｗｉｄｅ  Ａｒｅａ  Ｎｅｔｗｏｒｋ）通信の一種である。
【００１８】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルに在圏するＵＥ１００との無線通信を行う。「セル」は、無線通信エリアの最小単位を示す用語として使用される他に、ＵＥ１００との無線通信を行う機能（リソース）を示す用語としても使用される。ｅＮＢ２００は、無線リソース管理（ＲＲＭ）機能、ユーザデータのルーティング機能、モビリティ制御及びスケジューリングのための測定制御機能等を有する。
【００１９】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００２０】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００２１】
ＷＬＡＮ３０（ＷＬＡＮ通信ネットワーク）は、ＷＬＡＮアクセスポイント（以下「ＡＰ」という）３００を含む。ＡＰ３００は、例えばＬＴＥシステムのネットワーク・オペレータにより管理されるＡＰ（Ｏｐｅｒａｔｏｒ  ｃｏｎｔｒｏｌｌｅｄ  ＡＰ）である。
【００２２】
ＡＰ３００は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。ＬＴＥ通信は、ライセンスドバンドで行われる。ＡＰ３００は、ルータ等を介してＥＰＣ２０に接続される。ｅＮＢ２００及びＡＰ３００が個別のノードである場合に限らず、ｅＮＢ２００及びＡＰ３００が同一のノードとして一体化（Ｃｏｌｌｏｃａｔｅｄ）されていてもよい。或いは、ｅＮＢ２００及びＡＰ３００が直接的なインターフェイスを介して相互接続されていてもよい。
【００２３】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理しており、ＡＮＤＳＦ情報をＵＥ１００に提供する。
【００２４】
図２は、ＵＥ１００のブロック図である。図２に示すように、ＵＥ１００は、アンテナ１０１及び１０２と、セルラ送受信機１１１と、ＷＬＡＮ送受信機１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を含む。メモリ１５０及びプロセッサ１６０は、制御部を構成する。ＵＥ１００は、ユーザインターフェイス１２０及びＧＮＳＳ受信機１３０を有していなくてもよい。また、メモリ１５０をプロセッサ１６０と一体化し、このセット（すなわち、チップセット）をプロセッサ１６０’としてもよい。
【００２５】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００２６】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００２７】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２８】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号等を行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００２９】
図３は、ＬＴＥシステムにおける無線インターフェイスのプロトコルスタック図である。図３に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３０】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００３１】
ＬＴＥシステムでは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３２】
無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００３３】
ＭＡＣ層は、データの優先制御、ハイブリッドＡＲＱ（ＨＡＲＱ）による再送処理等を行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００３４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００３５】
ＰＤＣＰ層は、ヘッダ圧縮・伸張、及び暗号化・復号化を行う。
【００３６】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３７】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。ＭＭＥ３００は、ＮＡＳメッセージをＵＥ１００と送受信する。
【００３８】
（ネットワーク選択動作）
３ＧＰＰリリース１２以降において、セルラ・ＷＬＡＮ無線インターワーキング技術がサポートされている。このような技術では、ＲＲＣコネクティッド状態又はＲＲＣアイドル状態のＵＥ１００は、ネットワーク選択動作により、Ｅ−ＵＴＲＡＮ１０とＷＬＡＮ３０との間で双方向のトラフィック切り替え（トラフィック・ステアリング）を行う。
【００３９】
当該トラフィック切り替えは、Ｅ−ＵＴＲＡＮ１０の補助により、ＵＥ１００主導（ＵＥ  ｂａｓｅｄ）で行われる。また、当該トラフィック切り替えは、ＡＰＮ（Ａｃｃｅｓｓ  Ｐｏｉｎｔ  Ｎａｍｅ）単位で行われる。
【００４０】
図４は、ネットワーク選択動作を説明するための図である。
【００４１】
図４に示すように、ステップＳ１１において、Ｅ−ＵＴＲＡＮ１０は、ブロードキャストＲＲＣシグナリング又は個別（ｄｅｄｉｃａｔｅｄ）ＲＲＣシグナリングにより、ＲＡＮ補助情報（ＲＡＮ  ａｓｓｉｓｔａｎｃｅ  ｐａｒａｍｅｔｅｒｓ）をＵＥ１００に送信する。ブロードキャストＲＲＣシグナリングは、例えばＳＩＢ（Ｓｙｓｔｅｍ  Ｉｎｆｏｒｍａｔｉｏｎ  Ｂｌｏｃｋ）である。個別ＲＲＣシグナリングは、例えばＲＲＣ  Ｃｏｎｎｅｃｔｉｏｎ  Ｒｅｃｏｎｆｉｇｕｒａｔｉｏｎメッセージである。
【００４２】
ＲＡＮ補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。ＲＡＮ補助情報は、ネットワーク選択動作の対象となるＷＬＡＮ識別子を含んでもよい。ＷＬＡＮ識別子は、ＳＳＩＤ、ＢＳＳＩＤ、ＨＥＳＳＩＤ等である。ＲＡＮ補助情報は、閾値（判定条件）が満たされるべき期間を指定するパラメータを含んでもよい。
【００４３】
ネットワーク選択動作をサポートするＵＥ１００は、ＲＡＮ補助情報を受信し、受信したＲＡＮ補助情報を記憶する。ＵＥ１００は、セル再選択又はハンドオーバを行う際に、記憶しているＲＡＮ補助情報を破棄してもよい。
【００４４】
ステップＳ１２において、ＵＥ１００は、ネットワーク選択動作を行う。
【００４５】
先ず、ＬＴＥ通信からＷＬＡＮ通信への切り替え、すなわち、Ｅ−ＵＴＲＡＮ１０からＷＬＡＮ３０への切り替えの一例について説明する。ＵＥ１００は、Ｅ−ＵＴＲＡＮ１０に関する第１の判定条件及びＷＬＡＮ３０に関する第２の判定条件に基づいて、ＬＴＥ通信からＷＬＡＮ通信に切り替えるか否かの切り替え判定を行う。具体的には、第１の判定条件及び第２の判定条件の両方が満たされた場合、ＵＥ１００は、ＬＴＥ通信からＷＬＡＮ通信への切り替えを行う。
【００４６】
第１の判定条件は、Ｅ−ＵＴＲＡＮサービングセルに対する以下の条件である。
【００４７】
RSRPmeas < ThreshServingOffloadWLAN, LowP; or
RSRQmeas < ThreshServingOffloadWLAN, LowQ
【００４８】
ここで、「ＲＳＲＰｍｅａｓ」はＵＥ１００で測定するセルラ受信信号の受信電力、すなわち参照信号受信電力（ＲＳＲＰ）である。「ＲＳＲＱｍｅａｓ」はＵＥ１００で測定するセルラ受信信号の受信品質、すなわち参照信号受信品質（ＲＳＲＱ）である。「ＴｈｒｅｓｈＳｅｒｖｉｎｇＯｆｆｌｏａｄＷＬＡＮ，ＬｏｗＰ」及び「ＴｈｒｅｓｈＳｅｒｖｉｎｇＯｆｆｌｏａｄＷＬＡＮ，ＬｏｗＱ」は、ＲＡＮ補助情報に含まれており、ＷＬＡＮ３０に切り替えるための閾値である。
【００４９】
第２の判定条件は、ターゲットＷＬＡＮに対する以下の条件である。
【００５０】
ChannelUtilizationWLAN < ThreshChUtilWLAN, Low; and
BackhaulRateDlWLAN > ThreshBackhRateDLWLAN, High; and
BackhaulRateUlWLAN > ThreshBackhRateULWLAN, High; and 
RCPI > ThreshRCPIWLAN, High; and
RSNI > ThreshRSNIWLAN, High;
【００５１】
ここで、「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Access  Network  Query  Ｐｒｏｔｏｃｏｌ）により提供され、ＷＬＡＮバックホールの利用可能伝送レート、すなわちＷＬＡＮバックホール負荷レベルを示す。「ＲＣＰＩ」は、ＵＥ１００で測定するＷＬＡＮ信号強度を示す。「ＲＣＰＩ」は、ＵＥ１００で測定するＷＬＡＮ信号品質を示す。「ＴｈｒｅｓｈＣｈＵｔｉｌＷＬＡＮ，Ｌｏｗ」、「ＴｈｒｅｓｈＢａｃｋｈＲａｔｅＤＬＷＬＡＮ，Ｈｉｇｈ」、「ＴｈｒｅｓｈＢａｃｋｈＲａｔｅＵＬＷＬＡＮ，Ｈｉｇｈ」、「ＴｈｒｅｓｈＲＣＰＩＷＬＡＮ，Ｈｉｇｈ」、「ＴｈｒｅｓｈＲＳＮＩＷＬＡＮ，Ｈｉｇｈ」は、ＲＡＮ補助情報に含まれており、ＷＬＡＮ３０に切り替えるための閾値である。
【００５２】
次に、ＷＬＡＮ通信からＬＴＥ通信への切り替え、すなわち、ＷＬＡＮ３０からＥ−ＵＴＲＡＮ１０への切り替えの一例について説明する。ＵＥ１００は、ＷＬＡＮ３０に関する第３の判定条件及びＥ−ＵＴＲＡＮ１０に関する第４の判定条件及びに基づいて、ＷＬＡＮ通信からＬＴＥ通信に切り替えるか否かの切り替え判定を行う。具体的には、第３の判定条件又は第４の判定条件の一方が満たされた場合、ＵＥ１００は、ＷＬＡＮ通信からＬＴＥ通信への切り替えを行う。
【００５３】
第３の判定条件は、ソースＷＬＡＮに対する以下の条件である。
【００５４】
ChannelUtilizationWLAN > ThreshChUtilWLAN, High; or
BackhaulRateDlWLAN < ThreshBackhRateDLWLAN, Low; or
BackhaulRateUlWLAN < ThreshBackhRateULWLAN, Low; or
RCPI < ThreshRCPIWLAN, Low; or
RSNI < ThreshRSNIWLAN, Low;
【００５５】
ここで、「ＴｈｒｅｓｈＣｈＵｔｉｌＷＬＡＮ，Ｈｉｇｈ」、「ＴｈｒｅｓｈＢａｃｋｈＲａｔｅＤＬＷＬＡＮ，Ｌｏｗ」、「ＴｈｒｅｓｈＢａｃｋｈＲａｔｅＵＬＷＬＡＮ，Ｌｏｗ」、「ＴｈｒｅｓｈＲＣＰＩＷＬＡＮ，Ｌｏｗ」、「ＴｈｒｅｓｈＲＳＮＩＷＬＡＮ，Ｌｏｗ」は、ＲＡＮ補助情報に含まれており、Ｅ−ＵＴＲＡＮ１０に切り替えるための閾値である。
【００５６】
第４の判定条件は、Ｅ−ＵＴＲＡＮターゲットセルに対する以下の条件である。
【００５７】
RSRPmeas > ThreshServingOffloadWLAN, HighP; and
RSRQmeas > ThreshServingOffloadWLAN, HighQ;
【００５８】
ここで、「ＴｈｒｅｓｈＳｅｒｖｉｎｇＯｆｆｌｏａｄＷＬＡＮ，ＨｉｇｈＰ」及び「ＴｈｒｅｓｈＳｅｒｖｉｎｇＯｆｆｌｏａｄＷＬＡＮ，ＨｉｇｈＱ」は、ＲＡＮ補助情報に含まれており、Ｅ−ＵＴＲＡＮ１０に切り替えるための閾値である。
【００５９】
上述した第１の判定条件乃至第４の判定条件は、ＲＡＮ規則（ＲＡＮ  ｓｐｅｃｉｆｉｅｄ  ｒｕｌｅ）と称される。ＲＡＮ規則に加えて、又はＲＡＮ規則に代えて、ＵＥ１００は、高度化ＡＮＤＳＦポリシーにＲＡＮ補助情報を適用することにより、ネットワーク選択動作を行ってもよい。
【００６０】
また、上述した第１の判定条件乃至第４の判定条件は、セルラ通信ネットワークがＥ−ＵＴＲＡＮ１０である場合の判定条件である。Ｅ−ＵＴＲＡＮ１０以外に、セルラ通信ネットワークの一種であるＵＴＲＡＮもネットワーク選択動作をサポートする。セルラ通信ネットワークがＵＴＲＡＮである場合、上述した第１の判定条件乃至第４の判定条件とは異なる判定条件が使用されてもよい。
【００６１】
（ＵＥの動作概要）
上述したように、ネットワーク選択動作は、Ｅ−ＵＴＲＡＮ１０から提供されるＲＡＮ補助情報（ＲＡＮ  ａｓｓｉｓｔａｎｃｅ  ｐａｒａｍｅｔｅｒｓ）に基づいて、Ｅ−ＵＴＲＡＮ１０及びＷＬＡＮ３０のうち、ＵＥ１００のトラフィックを送受信する適切なネットワークを選択する動作である。ＲＡＮ補助情報は、Ｅ−ＵＴＲＡＮ１０の状況等に応じて適宜更新される。
【００６２】
ネットワーク選択動作は、Ｅ−ＵＴＲＡＮ１０から提供される最新のＲＡＮ補助情報をＵＥ１００が取得できることを前提としている。すなわち、ＵＥ１００がＬＴＥ通信ネットワーク（Ｅ−ＵＴＲＡＮ１０）に登録したアタッチ状態であることを前提としている。アタッチ状態は、ＲＲＣコネクティッド状態及びＲＲＣアイドル状態を含む。
【００６３】
しかしながら、ＵＥ１００がＥ−ＵＴＲＡＮ１０に登録していないデタッチ状態である場合、ＵＥ１００は、最新のＲＡＮ補助情報を取得することができない。
【００６４】
図５は、実施形態に係る動作環境を示す図である。図５に示すように、ＵＥ１００は、アタッチ状態においてＥ−ＵＴＲＡＮ１０（ｅＮＢ２００）から提供されたＲＡＮ補助情報を記憶し、ＲＡＮ補助情報に基づいて、Ｅ−ＵＴＲＡＮ１０（ｅＮＢ２００）及びＷＬＡＮ３０（ＡＰ３００）のうち、自ＵＥ１００のトラフィックを送受信する適切なネットワークを選択するネットワーク選択動作を行う。
【００６５】
ここで、ＵＥ１００の全てのＰＤＮ（Ｐａｃｋｅｔ  Ｄａｔａ  Ｎｅｔｗｏｒｋ）接続がＥ−ＵＴＲＡＮ１０を介して確立されており、アタッチ状態にあるＵＥ１００が、ネットワーク選択動作により、全てのＰＤＮ接続をＷＬＡＮ３０に切り替えた場合を想定する。そして、ＵＥ１００は、ＵＴＲＡＮを再選択することなく、Ｅ−ＵＴＲＡＮ１０からデタッチしてデタッチ状態に遷移する。
【００６６】
このように、全てのＰＤＮ接続がＷＬＡＮ３０を介して確立されており、デタッチ状態にあるＵＥ１００は、最新のＲＡＮ補助情報をＥ−ＵＴＲＡＮ１０から取得することができない。
【００６７】
実施形態に係るＵＥ１００は、アタッチ状態からデタッチ状態に遷移した場合、アタッチ状態においてＥ−ＵＴＲＡＮ１０から提供されたＲＡＮ補助情報を保持しつつ、ネットワーク選択動作を継続する。特に、デタッチ状態に遷移し、かつ、トラフィックをＷＬＡＮ３０と送受信している場合、ＵＥ１００は、アタッチ状態において提供されたＷＬＡＮ判定パラメータを保持しつつ、当該保持しているＷＬＡＮ判定パラメータに基づいてネットワーク選択動作を行う。
【００６８】
これにより、ＷＬＡＮ３０が適切であるか否かを判定可能とし、ＷＬＡＮ通信の通信状態の劣化に応じてトラフィックをＥ−ＵＴＲＡＮ１０に切り替えることができる。
【００６９】
なお、ＷＬＡＮ判定パラメータは、ＷＬＡＮ判定に関連するパラメータであり、「ＴｈｒｅｓｈＣｈＵｔｉｌＷＬＡＮ，Ｈｉｇｈ」、「ＴｈｒｅｓｈＢａｃｋｈＲａｔｅＤＬＷＬＡＮ，Ｌｏｗ」、「ＴｈｒｅｓｈＢａｃｋｈＲａｔｅＵＬＷＬＡＮ，Ｌｏｗ」、「ＴｈｒｅｓｈＲＣＰＩＷＬＡＮ，Ｌｏｗ」、「ＴｈｒｅｓｈＲＳＮＩＷＬＡＮ，Ｌｏｗ」等を含む。
【００７０】
実施形態では、デタッチ状態に遷移し、かつ、トラフィックをＷＬＡＮ３０と送受信している場合、ＵＥ１００は、デタッチ状態に遷移してから有効期間が満了するまで、アタッチ状態において提供されたＷＬＡＮ判定パラメータを保持する。
【００７１】
これにより、ＷＬＡＮ判定パラメータが新しいとみなすことができる期間において、ネットワーク選択動作を適切に行うことができる。
【００７２】
実施形態では、有効期間は、アタッチ状態においてＥ−ＵＴＲＡＮ１０から指定されている。有効期間の情報は、Ｅ−ＵＴＲＡＮ１０により、ブロードキャストＲＲＣシグナリング又は個別ＲＲＣシグナリングにより提供される。有効期間は、ＲＡＮ補助情報に含まれていてもよい。或いは、有効期間は、ＲＡＮ補助情報とは別の情報要素であってもよい。
【００７３】
これにより、例えばＥ−ＵＴＲＡＮ１０におけるＲＡＮ補助情報の更新頻度又は更新周期等に応じて、有効期間を可変とすることができる。但し、有効期間が予めＵＥ１００に設定（Ｐｒｅ−ｃｏｎｆｉｇｕｒｅ）されており、有効期間を固定としてもよい。
【００７４】
実施形態では、デタッチ状態に遷移してから有効期間が満了した際に、ＵＥ１００は、Ｅ−ＵＴＲＡＮ１０から提供される最新のＷＬＡＮ判定パラメータを取得するためにアタッチ状態に遷移するよう試みる。
【００７５】
これにより、最新のＷＬＡＮ判定パラメータを取得して、ネットワーク選択動作を適切に行うことができる。
【００７６】
（ＵＥの動作フロー例）
図６は、実施形態に係るＵＥ１００の動作フロー図である。初期状態においてＵＥ１００はアタッチ状態であり、Ｅ−ＵＴＲＡＮ１０から提供されたＲＡＮ補助情報を記憶している。また、Ｅ−ＵＴＲＡＮ１０から指定された有効期間を記憶している。
【００７７】
図６に示すように、ステップＳ１０１において、ＵＥ１００は、Ｅ−ＵＴＲＡＮ１０からデタッチする。例えば、ＵＥ１００は、全てのＰＤＮ接続をＷＬＡＮ３０に切り替えて、ＵＴＲＡＮを再選択することなく、Ｅ−ＵＴＲＡＮ１０からデタッチしてデタッチ状態に遷移する。
【００７８】
ステップＳ１０２において、ＵＥ１００は、デタッチ状態に遷移した際に、有効期間タイマ（Ｖａｌｉｄｉｔｙ  ｔｉｍｅｒ）を起動する。有効期間タイマには、Ｅ−ＵＴＲＡＮ１０から指定された有効期間が設定される。
【００７９】
ＵＥ１００は、有効期間タイマが満了するまで、ＲＡＮ補助情報を保持する。ＵＥ１００は、必ずしもＬＴＥ判定パラメータを保持しなくてもよく、少なくともＷＬＡＮ判定パラメータを保持すればよい。
【００８０】
ステップＳ１０３において、ＵＥ１００は、保持しているＲＡＮ補助情報（ＷＬＡＮ判定パラメータ）に基づいて、ネットワーク選択動作を継続する。例えば、ＵＥ１００は、保持しているＷＬＡＮ判定パラメータに基づいて、トラフィックをＷＬＡＮ３０からＥ−ＵＴＲＡＮ１０に切り替えるか否かの判定を継続する。
【００８１】
このようなネットワーク選択動作により、トラフィックをＷＬＡＮ３０からＥ−ＵＴＲＡＮ１０に切り替えると判定した場合（ステップＳ１０４；ＹＥＳ）、ステップＳ１０５において、ＵＥ１００は、Ｅ−ＵＴＲＡＮ１０にアタッチ（登録）し、トラフィックをＷＬＡＮ３０からＥ−ＵＴＲＡＮ１０に切り替える。
【００８２】
一方、ネットワーク選択動作により、トラフィックをＷＬＡＮ３０からＥ−ＵＴＲＡＮ１０に切り替えると判定しない場合（ステップＳ１０４；ＮＯ）、ステップＳ１０６において、ＵＥ１００は、有効期間タイマが満了したか否かを確認する。
【００８３】
有効期間タイマが満了していない場合（ステップＳ１０６；ＮＯ）、処理がステップＳ１０３に戻り、ネットワーク選択動作を継続する。
【００８４】
これに対し、有効期間タイマが満了した場合（ステップＳ１０６；ＹＥＳ）、ステップＳ１０７において、ＵＥ１００は、Ｅ−ＵＴＲＡＮ１０にアタッチしてアタッチ状態に遷移し、Ｅ−ＵＴＲＡＮ１０により提供される最新のＲＡＮ補助情報を取得する。ＵＥ１００は、取得した最新のＲＡＮ補助情報により、保持しているＲＡＮ補助情報を更新する。Ｅ−ＵＴＲＡＮ１０からＷＬＡＮ識別子ごとにＲＡＮ補助情報が提供される場合、ＵＥ１００は、現在選択しているＷＬＡＮ３０のＷＬＡＮ識別子に対応するＲＡＮ補助情報のみを取得してもよい。
【００８５】
ここで、ＵＥ１００は、ＲＲＣコネクティッド状態に遷移せずに、ＲＲＣアイドル状態において、ブロードキャストＲＲＣシグナリングに含まれるＲＡＮ補助情報を取得してもよい。また、ＵＥ１００は、Ｅ−ＵＴＲＡＮ１０により提供される最新の有効期間も取得して有効期間の値を更新してもよい。
【００８６】
そして、処理がステップＳ１０１に戻り、ＵＥ１００は、Ｅ−ＵＴＲＡＮ１０からデタッチしてデタッチ状態に遷移する。
【００８７】
［その他の実施形態］
上述した実施形態では、ＵＥ１００は、有効期間タイマが満了した際に、Ｅ−ＵＴＲＡＮ１０にアタッチしてアタッチ状態に遷移し、Ｅ−ＵＴＲＡＮ１０により提供される最新のＲＡＮ補助情報を取得していた。しかしながら、有効期間タイマが満了する前に、最新のＲＡＮ補助情報を取得してもよい。また、ＵＥ１００は、Ｅ−ＵＴＲＡＮ１０にアタッチせずにＲＲＣアイドル状態に遷移し、最新のＲＡＮ補助情報を取得してもよい。
【００８８】
上述した実施形態では、アタッチ状態にあるＵＥ１００が、全てのＰＤＮ接続をＷＬＡＮ３０に切り替え、ＵＴＲＡＮを再選択することなく、Ｅ−ＵＴＲＡＮ１０からデタッチしてデタッチ状態に遷移する場合を想定していた。
【００８９】
その他の実施形態では、図７に示すような動作環境を想定する。図７に示すように、ＵＥ１００が全てのＰＤＮ接続をＷＬＡＮ３０に切り替え、音声サービスを受けるためにＧＥＲＡＮ（ＧＳＭ（登録商標）  ＥＤＧＥ  Ｒａｄｉｏ  Ａｃｃｅｓｓ  Ｎｅｔｗｏｒｋ）４０を再選択し、Ｅ−ＵＴＲＡＮ１０からデタッチしてデタッチ状態（ＬＴＥデタッチ状態）に遷移する場合を想定する。
【００９０】
ＧＥＲＡＮ４０は、セルラ通信ネットワークの一種であるが、ネットワーク選択動作をサポートしていない。すなわち、ＧＥＲＡＮ４０は、ＲＡＮ補助情報を提供する能力を有していない。このような場合、ＵＥ１００は、２つのＲＡＮを同時に使用する能力を有していれば、ＧＥＲＡＮ４０での音声サービスを中断することなく、上述した実施形態と同様の動作を行うことができる。
【００９１】
しかしながら、２つのＲＡＮを同時に使用する能力を有していないＵＥ１００は、Ｅ−ＵＴＲＡＮ１０から最新のＲＡＮ補助情報を取得するためにはＧＥＲＡＮ４０での音声サービスを中断しなければならない。よって、そのようなＵＥ１００については、音声サービスの中断を防止するために、上述した実施形態に係る動作フローに従わなくてもよい。
【００９２】
［付記］
１．序文
ＵＥが最新のＲＡＮ補助情報を取得できるとの仮定に立って、ＷＬＡＮ／３ＧＰＰ無線インターワーキング仕様が作成されている。ＵＥは、この情報を、ＲＡＮ規則（ＲＡＮ  ｓｐｅｃｉｆｉｅｄ  ｒｕｌｅ）又は高度化ＡＮＤＳＦ（ｅｎｈａｎｃｅｄ  ＡＮＤＳＦ）ポリシーに適用することができる。しかしながら、ＵＥが最新のＲＡＮ補助情報を取得することができない現実的なシナリオが２つ指摘されている。
【００９３】
・あるＵＥについて、音声設定により、そのＵＥが音声サービスを取得しなければならないことが示されており、そのＵＥが、全てのＰＤＮ接続をＷＬＡＮにオフロードし、音声サービスを取得するためにＧＥＲＡＮを再選択するとき。
【００９４】
・ＵＥが、全てのＰＤＮ接続をＷＬＡＮにオフロードし、ＵＴＲＡＮを再選択することなく、Ｅ−ＵＴＲＡＮからデタッチされるとき。
【００９５】
本付記では、このような場合にＵＥがどのように動作すべきかについて検討する。
【００９６】
２．検討
基本的に、ＲＡＮ補助情報が取得できないというケースは、仕様化項目の範囲外である。しかしながら、指摘されているシナリオは現実的なものである。最新のＲＡＮ補助情報が取得できない場合にＵＥがどのように動作すべきかを検討することには価値がある。
【００９７】
２．１．ＧＥＲＡＮ音声サービスシナリオ
本項では、第１の問題、即ちＧＥＲＡＮでの音声サービスのケースについて検討する。
【００９８】
・あるＵＥについて、音声設定により、そのＵＥが音声サービスを取得しなければならないことが示されており、そのＵＥが、全てのＰＤＮ接続をＷＬＡＮにオフロードし、音声サービスを取得するためにＧＥＲＡＮを再選択するとき。
【００９９】
ＵＥがＩＳＭＰのみ可能である場合、トラフィックをＷＬＡＮ及びＧＥＲＡＮの両方で同時にサポートすることはできない。ＧＥＲＡＮでの音声サービスが優先されると仮定すると、ＷＬＡＮでの全てのＰＤＮ接続が、可能であればＧＥＲＡＮに切り替えられるか、又は、ＧＥＲＡＮへの再選択に先立って解放されるべきである。
【０１００】
見解：ＩＳＭＰが可能なＵＥに対しては、例えば、音声サービスの優先順位によりＧＥＲＡＮが再選択されると、サポートされているか、又は解放されている場合は、実装によって、ＷＬＡＮからのトラフィックが、ＧＥＲＡＮへと切り替えられてよい。
【０１０１】
しかしながら、ＵＥでＩＳＲＰが可能である場合は、そのＵＥは、ＷＬＡＮ内の他のトラフィックを保持したまま、音声サービスのためにＧＥＲＡＮを再選択することができる。もちろん、すでにＡＰＮレベルのトラフィック切り替え粒度（ｇｒａｎｕｌａｒｉｔｙ）で合意されているため、音声サービス及び他のトラフィックが異なるＡＰＮに属していることが仮定されている。
【０１０２】
次に、ＷＬＡＮが受け入れ可能かどうかを、最新のＲＡＮ補助情報なしに、ＵＥがどのように判断するのかが問題となる。
【０１０３】
考えられるＵＥの動作の１つとして、ＵＥが、ＵＴＲＡＮ／Ｅ−ＵＴＲＡＮの再選択により、最新のＲＡＮ補助情報の再取得を試みるというものがある。しかしながら、サービス継続性のためには、ＧＥＲＡＮ音声サービスがまだアクティブな状態で、ＵＥがＵＴＲＡＮ／Ｅ−ＵＴＲＡＮを再選択することは望ましくない。ＧＥＲＡＮでの音声サービスが、ＵＥ内で提供するサービスに基づく他のトラフィックサービスよりも高い優先度を有することが仮定されている。
【０１０４】
このケースでは、２つの選択肢がある。
【０１０５】
１：ＧＥＲＡＮでのサービスの終了後、ＵＥは、ＵＴＲＡＮ／Ｅ−ＵＴＲＡＮに対してアタッチして、最新のＲＡＮ補助情報の取得を試みる。
【０１０６】
２：ＵＥがＧＥＲＡＮを再選択するとき、ＵＥは、ＲＡＮ補助情報を破棄し、ＵＥの動作はＵＥの実装に委ねる。
【０１０７】
選択肢１では、どのＵＥが、トラフィックをＷＬＡＮから切り替えるべきなのか、又は切り替えるべきでないのかが明確ではない。オフロードの観点からは、ＷＬＡＮが劣化し始めない限り、ＷＬＡＮでのＵＥのトラフィックを保持した方がよい。ＷＬＡＮを評価するために、適当な時間の間、ＲＡＮ補助情報を保持しておくことは、有用であり得る。しかしながら、ＧＥＲＡＮでの音声サービスの間、元のＵＴＲＡＮ／Ｅ−ＵＴＲＡＮセルにおいて、ＲＡＮ補助情報が更新される場合がある。そのため、ＵＥが、ＲＡＮ特定のメトリック内での最新のＲＡＮ補助情報なしに適切な判断を行うのは困難である。
【０１０８】
提案１：ＧＥＲＡＮでのサービス継続性のため、どのように／いつトラフィックがＷＬＡＮから切り替えられるのかは、ＵＥの実装に委ねるべきである。
【０１０９】
２．２．ＵＴＲＡＮの再選択なしの、Ｅ−ＵＴＲＡＮからのデタッチ
・ＵＥが、全てのＰＤＮ接続をＷＬＡＮにオフロードし、ＵＴＲＡＮを再選択することなく、Ｅ−ＵＴＲＡＮからデタッチされるとき。
【０１１０】
この条件下では、ＵＥは、ＵＴＲＡＮ又はＥ−ＵＲＴＡＮにアタッチされていないため、最新のＲＡＮ補助情報を受信することができないであろう。そこで、ＵＥは、既存のＲＡＮ補助情報についてどのようにすべきかということが問題となる。ＵＥには、２つの選択肢があり、その選択により、ＵＥが既存のトラフィックを中断なく保持し得るかどうかについて、影響が及ぶ場合がある。
【０１１１】
１：ＵＥは、ＲＡＮ補助情報を破棄する。
【０１１２】
２：ＵＥは、ＲＡＮ補助情報を保持する。
【０１１３】
２．２．１．ＵＥは、ＲＡＮ補助情報を破棄する
この選択肢は単純かつ合理的である。ＵＥがＵＴＲＡＮ又はＥ−ＵＴＲＡＮにアタッチされない場合、ＵＥが、ＲＡＮによって既に更新されてしまっている場合のあるＲＡＮ補助情報を保持することは、合理的とは思えない。そのため、この予測から、このＲＡＮ情報は、ＵＥがまだＵＴＲＡＮ／Ｅ−ＵＴＲＡＮにアタッチされている場合にのみ、有効であるべきである。しかしながら、これらのパラメータを破棄した後にＵＥがどのように動作するのかは、まだ明確ではない。ＷＬＡＮが劣化した場合に、ＵＥがトラフィックをＲＡＮに戻すように切り替えることは可能か。また、ＵＥがＲＡＮ補助情報を破棄した場合、ＷＬＡＮが受け入れ可能かどうかを判断する基準として、ＵＥはどのように用いるのか。それ故、ＵＥがＲＡＮ補助情報を破棄する場合、ＷＬＡＮの条件と、トラフィックをＲＡＮに切り替える必要性は、ＵＥの実装に基づくであろうことが仮定されるべきである。
【０１１４】
２．２．２．ＵＥは、ＲＡＮ補助情報を保持する
この選択肢の場合、ＵＥは、既存のＲＡＮ補助情報を使用して、トラフィックをＷＬＡＮに残したまま、ＷＬＡＮの状態を評価してもよい。ＵＥがＵＴＲＡＮ又はＥ−ＵＴＲＡＮにアタッチされないことを仮定しているため、ＷＬＡＮに関連する情報だけ（即ち、ＴｈｒｅｓｈＣｈＵｔｉｌＷＬＡＮ，Ｈｉｇｈ、ＴｈｒｅｓｈＢａｃｋｈＲａｔｅＤＬＷＬＡＮ，Ｌｏｗ、ＴｈｒｅｓｈＢａｃｋｈＲａｔｅＵＬＷＬＡＮ，Ｌｏｗ、ＴｈｒｅｓｈＲＣＰＩＷＬＡＮ，Ｌｏｗ、及びＴｈｒｅｓｈＲＳＮＩＷＬＡＮ，Ｌｏｗ）が、適用可能である。これらの閾値は最新ではないが、特に、ＷＬＡＮに関連する閾値は動的に変更されないと予想されるため、少なくともしばらくの間は、これらの閾値を使用することが有益な場合がある。
【０１１５】
提案２：ＵＥが、ＵＴＲＡＮ／Ｅ−ＵＴＲＡＮからデタッチされる場合は、ＵＥは、ＷＬＡＮの状態を判断するためにＷＬＡＮに関連するＲＡＮ補助情報を保持すべきである。
【０１１６】
提案２に同意できる場合、ＲＡＮ２は、既存のＷＬＡＮに関連するＲＡＮ補助情報に対する有効期間を定めることが必要かどうかについても、検討すべきである。次の２つの選択肢を検討した。
【０１１７】
ａ）ＷＬＡＮが、既存のＲＡＮ補助情報からの閾値に基づく条件を超えて劣化してしまうまで、ＵＥは、ＷＬＡＮに関連するＲＡＮ補助情報を保持してもよい。
【０１１８】
ｂ）ＲＡＮは、タイマを使用してＷＬＡＮに関連するＲＡＮ補助情報の有効期間を判断し得る。
【０１１９】
選択肢ａ）の場合、ＵＥは、これらのパラメータに基づきＷＬＡＮが著しく劣化するまで、ＷＬＡＮに関連するＲＡＮ補助情報を保持するという選択肢を有する。この時点で、ＵＥは、ＵＴＲＡＮ又はＥ−ＵＴＲＡＮにアタッチして、最新のＲＡＮ補助情報を取得し、このＵＥが、トラフィックをＲＡＮに切り替えるべきかどうかを判断する必要があるであろう。例えば、もはやＲＡＮカバレッジ内にないために、ＵＥがＵＴＲＡＮ又はＥ−ＵＴＲＡＮのどちらにもアタッチすることができない場合、ＵＥは、既存のＲＡＮ補助情報を破棄すべきである。
【０１２０】
選択肢ｂ）の場合、ＵＥがＵＴＲＡＮ／Ｅ−ＵＴＲＡＮからデタッチされたときに、有効期間タイマが開始され、タイマがまだ動作している限りは、ＵＥは既存のＲＡＮ補助情報の使用を続けるべきである。タイマ満了時、ＵＥは、最新のＲＡＮ補助情報を得るために、ＵＴＲＡＮ／Ｅ−ＵＴＲＡＮにアタッチすべきである。ネットワークが、ＷＬＡＮの劣化の可能性に基づき、有効期間タイマに対する適切な値を決めることは困難な場合があるが、有効期間タイマの存続期間は、ＲＡＮ補助情報の更新の頻度に基づいていてもよい。
【０１２１】
比較すると、選択肢ａ）では、ＵＥに対してある程度の柔軟性を付与して、一定でない期間にわたって、既存のパラメータを保持させる一方で、選択肢ｂ）では、既存のパラメータに対して一定の期間を付与する。ＵＥが固定され、長期間にわたってＷＬＡＮに残る場合、オペレータにとって望ましくない場合がある、ＵＥがトラフィックをＲＡＮに戻すように切り替える機会はないであろう。それ故、選択肢ｂ）は、ＷＬＡＮに関連するＲＡＮ補助情報に対する有効期間を定める手段として採用されるべきである。
【０１２２】
提案３：ＵＥがＵＴＲＡＮ／Ｅ−ＵＴＲＡＮからデタッチされる場合、ＵＥは、ＲＡＮによって定められる有効期間タイマの存続期間の間、ＷＬＡＮに関連するＲＡＮ補助情報を保持するべきである。
【０１２３】
提案４：有効期間タイマ満了時、ＵＥは、最新のＲＡＮ補助情報を取得するために、ＵＴＲＡＮ／Ｅ−ＵＴＲＡＮにアタッチすることを試みるべきである。
【０１２４】
既存のトラフィック切り替え規則では、ＷＬＡＮの状態が劣化していない場合でも、ＵＥが、トラフィックをＲＡＮに戻すように切り替える必要があり得ることが仮定されている。しかしながら、仮に提案３及び４に同意できるのであれば、既存のＷＬＡＮ閾値の基準に基づいてＷＬＡＮが「良い」状態にある場合には、ＵＥは、ＵＴＲＡＮ／Ｅ−ＵＴＲＡＮに対してアタッチ及び接続を試みないということをも意味することになる。言い換えれば、ＵＥがＵＴＲＡＮ／Ｅ−ＵＴＲＡＮにアタッチ又は接続されない場合、ＷＬＡＮがまだ良い状態のときは、ＵＥは、ＲＡＮに戻るように切り替える機会を失う場合がある。しかしながら、仕様化項目の要件の１つは、ＷＬＡＮの利用を改善することであるから、この妥協点は合理的である。ＷＬＡＮがまだ受け入れ可能であり、かつＵＥがＵＴＲＡＮ／Ｅ−ＵＴＲＡＮからデタッチされる場合であっても、ＵＥが、トラフィックを戻すように切り替えを試みることは好ましいことではない。
【０１２５】
見解２：ＵＴＲＡＮ／Ｅ−ＵＴＲＡＮからデタッチされる場合には、ＷＬＡＮの状態がＷＬＡＮ閾値を超えて劣化するまで、ＵＥは、トラフィックをＲＡＮに切り替える必要はない。
【０１２６】
見解２によれば、ＵＥが、有効期間タイマの満了前に最新のＷＬＡＮ補助情報を取得するためにＵＴＲＡＮ／Ｅ−ＵＴＲＡＮにアタッチするという選択肢を有することをも意味している。
【０１２７】
提案５：ＵＥは有効期間タイマの満了前に最新のＷＬＡＮ補助情報を取得するためにＵＴＲＡＮ／Ｅ−ＵＴＲＡＮにアタッチするという選択肢を有する。
【０１２８】
［相互参照］
米国仮出願第６２／０３４６１８号（２０１４年８月７日）の全内容が参照により本願明細書に組み込まれている。
【産業上の利用可能性】
【０１２９】
本発明は、通信分野において有用である。
【図１】
2016021640.tif 000003
【図２】
2016021640.tif 000004
【図３】
2016021640.tif 000005
【図４】
2016021640.tif 000006
【図５】
2016021640.tif 000007
【図６】
2016021640.tif 000008
【図７】
2016021640.tif 000009
【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
セルラ通信網に設けられる基地局と第１通信を行う第１通信部と、
ＷＬＡＮ（Ｗｉｒｅｌｅｓｓ  Ｌｏｃａｌ  Ａｒｅａ  Ｎｅｔｗｏｒｋ）に設けられるアクセスポイントと第２通信を行う第２通信部と、
前記第１通信と前記第２通信との間で切り替えるセルラ・ＷＬＡＮインターワーキングを行う制御部とを備え、
前記制御部は、前記セルラ通信網から提供されるＲＡＮ（Ｒａｄｉｏ  Ａｃｃｅｓｓ  Ｎｅｔｗｏｒｋ）補助情報に基づいて、前記第１通信と前記第２通信との間の切り替えを行うように構成されており、
前記制御部は、前記ＲＡＮ情報として提供される第１ＲＡＮ補助情報に基づいて前記第１通信の全てが前記第２通信に切り替えてから所定時間が経過した後において、前記ＲＡＮ情報として新たに提供される第２ＲＡＮ補助情報に基づいて、前記第２通信から前記第１通信への切り替えを行うか否かを判断する、ユーザ端末。
【請求項２】
前記制御部は、前記所定期間の経過まで、前記第１ＲＡＮ補助情報に基づいて、前記第２通信から前記第１通信への切り替えを判断する    、請求項１に記載のユーザ端末。
【請求項３】
前記制御部は、前記所定期間が経過している場合に、前記第１ＲＡＮ補助情報を前記第２ＲＡＮ補助情報によって更新する、請求項１に記載のユーザ端末。
【請求項４】
前記第２ＲＡＮ補助情報は、ＲＲＣ（Ｒａｄｉｏ  Ｒｅｓｏｕｒｃｅ  Ｃｏｎｎｅｃｔｉｏｎ）アイドル状態において、前記セルラ通信網からブロードキャストされるＲＡＮ補助情報である、請求項１に記載のユーザ端末。
【請求項５】
前記第１ＲＡＮ補助情報は、ＲＲＣ（Ｒａｄｉｏ  Ｒｅｓｏｕｒｃｅ  Ｃｏｎｎｅｃｔｉｏｎ）コネクティッド状態において、前記セルラ通信網から、ＲＲＣ  Ｃｏｎｎｅｃｔｉｏｎ  Ｒｅｃｏｎｆｉｇｕｒａｔｉｏｎメッセージによって、ユニキャストされるＲＡＮ補助情報である、請求項１に記載のユーザ端末。
【請求項６】
前記所定時間は、前記セルラ通信網から指定される、若しくは、予め定められている、請求項１に記載のユーザ端末。
【請求項７】
セルラ通信網に設けられる基地局と第１通信を行うステップＡと、
ＷＬＡＮ（Ｗｉｒｅｌｅｓｓ  Ｌｏｃａｌ  Ａｒｅａ  Ｎｅｔｗｏｒｋ）通信網に設けられたアクセスポイントと第２通信を行うステップＢと、
前記第１通信と前記第２通信との間で切り替えるセルラ・ＷＬＡＮインターワーキングを行うステップＣとを備え、
前記ステップＣは、前記セルラ通信網から提供されるＲＡＮ（Ｒａｄｉｏ  Ａｃｃｅｓｓ  Ｎｅｔｗｏｒｋ）補助情報に基づいて、前記第１通信と前記第２通信との間の切り替えを行うステップを含み、
前記ステップＣは、前記ＲＡＮ情報として提供される第１ＲＡＮ補助情報に基づいて前記第１通信の全てが前記第２通信に切り替えられてから所定時間が経過した後において、前記ＲＡＮ情報として新たに提供される第２ＲＡＮ補助情報を適用するステップを含む、通信制御方法。
【請求項８】
セルラ通信網に設けられる基地局と第１通信を行う第１通信部及びＷＬＡＮ（Ｗｉｒｅｌｅｓｓ  Ｌｏｃａｌ  Ａｒｅａ  Ｎｅｔｗｏｒｋ）通信網に設けられたアクセスポイントと第２通信を行う第２通信部を有するユーザ端末に用いるためのチップセットであって、
前記第１通信と前記第２通信との間で切り替えるセルラ・ＷＬＡＮインターワーキングを行う制御部とを備え、
前記制御部は、前記セルラ通信網から提供されるＲＡＮ（Ｒａｄｉｏ  Ａｃｃｅｓｓ  Ｎｅｔｗｏｒｋ）補助情報に基づいて、前記第１通信と前記第２通信との間の切り替えを行うように構成されており、
前記制御部は、前記ＲＡＮ情報として提供される第１ＲＡＮ補助情報に基づいて前記第１通信の全てが前記第２通信に切り替えられてから所定時間が経過した後において、前記ＲＡＮ情報として新たに提供される第２ＲＡＮ補助情報を適用する、チップセット。
【国際調査報告】
2016021640.tif 000010
2016021640.tif 000011
2016021640.tif 000012